【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
被写体を撮像して画像データを取得する撮像手段と、
当該カメラの現在地の位置情報を検出する位置検出手段と、
上記撮像手段が取得した上記画像データと該画像データ取得時に上記位置検出手段が検出した撮像位置情報とを対応付けする対応付け手段と、
当該カメラの本体に内蔵され、上記撮像位置情報を記録する第１のメモリと、
当該カメラの本体に対して着脱可能であり、上記対応付け手段により対応付けされた上記画像データと上記撮像位置情報と、を記録する第２のメモリと、
を具備することを特徴とするカメラ。
【請求項２】
被写体を撮像して画像データを取得する撮像手段と、
当該カメラの現在地の位置情報を検出する位置検出手段と、
上記撮像手段の取得した画像データ、該画像データから得られる縮小画像データ及び上記画像データ取得時に上記位置検出手段が検出した撮像位置情報とを対応付けする対応付け手段と、
当該カメラの本体に内蔵され、上記対応付け手段により対応付けされた上記縮小画像データと上記撮像位置情報とを記録する第１のメモリと、
当該カメラの本体に対して着脱可能であり、上記対応付け手段により対応付けされた上記画像データと上記撮像位置情報と、を記録する第２のメモリと、
を具備することを特徴とするカメラ。
【請求項３】
上記画像データを表示する表示手段と、
上記第１のメモリに記録された撮像位置情報と、上記位置検出手段が検出した当該カメラの現在地の位置情報とを比較し、該比較により所定の結果を得た場合に、上記表示手段に所定のメッセージを表示させる制御手段と、
を含むことを特徴とする請求項１または２に記載のカメラ。
【請求項４】
上記所定の結果とは、上記第１のメモリに記録された撮影位置情報の中に、上記位置検出手段の検出した当該カメラの現在地の位置情報と一致または類似した位置情報が検出されることであり、
上記所定のメッセージとは、当該カメラの現在地が、当該カメラを用いて過去に撮影された場所またはその付近の場所である旨を示す表示であることを特徴とする請求項３に記載のカメラ。
【請求項５】
上記制御手段は、上記所定の結果を得た場合に、当該撮影位置情報に対応付けされた画像データが上記第２のメモリ内に存在するか否かを判定し、存在すると判定した場合には上記画像データを、上記所定のメッセージと共に上記表示手段に表示させることを特徴とする請求項３または４に記載のカメラ。
【請求項６】
上記制御手段は、上記所定の結果を得た場合に、当該撮影位置情報に対応付けされた画像データが上記第２のメモリ内に存在するか否かを判定し、存在しないと判定した場合は、当該位置情報に対応付けされ上記第１のメモリに記録された縮小画像データを、上記所定のメッセージと共に上記表示手段に表示させることを特徴とする請求項３または４に記載のカメラ。
【請求項７】
被写体を撮像して画像データを取得する撮像手段と、
当該カメラの現在地の位置情報を検出する位置検出手段と、
上記撮像手段の取得した画像データと該画像データ取得時に上記位置検出手段が検出した撮像位置情報とを対応付けする対応付け手段と、
上記対応付け手段により対応付けされた上記画像データと上記撮像位置情報とを記録するメモリと、
上記撮像手段の向いている方向を検知する方位検知手段と、
上記画像データを表示する表示手段と、
上記位置検出手段の取得した現在地の位置情報、上記方位検知手段の検知した方向の情報及び上記メモリに記録された画像データに対応する撮像位置情報に基づいて、当該カメラが過去に撮影した画像データを上記メモリから検索し、該検索された画像データを上記表示手段に表示させる制御手段と、
を具備することを特徴とするカメラ。
【請求項８】
当該カメラの現在地の位置情報を検出する位置検出手段と、
当該カメラによる撮像時に取得された画像データと該画像データ取得時に上記位置検出手段が検出した撮像位置情報とが対応付けられて記録されたメモリと、
当該カメラの向いている方向を検知する方位検知手段と、
上記画像データを表示する表示手段と、
上記位置検出手段の取得した現在地の位置情報、上記方位検知手段の検知した方向の情報及び上記メモリに記録された画像データに対応する撮像位置情報に基づいて、当該カメラが過去に撮影した画像データを上記メモリから検索し、該検索された画像データを上記表示手段に表示させる制御手段と、
を具備することを特徴とするカメラ。
【請求項９】
被写体を撮像して画像データを取得する撮像手段と、
当該カメラの現在地の位置情報を検出する位置検出手段と、
上記撮像手段により取得された画像データと該画像データ取得時に上記位置検出手段により検出された撮像位置情報とを対応付けする対応付け手段と、
上記対応付け手段により対応付けされた上記画像データと上記位置情報とを記録するメモリと、
上記画像データを表示する表示手段と、
上記位置検出手段の取得した現在地の位置情報と所定の条件にある撮像位置情報に対応する画像データを上記メモリから検索し、上記現在地の位置情報と上記検索された画像データに対応する撮像位置情報とに基づいて、当該カメラの現在地点から上記検索された画像データの撮影地点までの距離を算出し、該算出された撮影地点までの距離を上記画像データとともに上記表示手段に表示させる制御手段と、
を具備することを特徴とするカメラ。
【請求項１０】
当該カメラの現在地の位置情報を検出する位置検出手段と、
当該カメラで撮像され取得した画像データと該画像データ取得時に上記位置検出手段が検出した撮像位置情報とが対応付けられて記録されたメモリと、
上記画像データを表示する表示手段と、
上記位置検出手段の取得した現在地の位置情報と所定の条件にある撮像位置情報に対応する画像データを上記メモリから検索し、上記現在地の位置情報と上記検索された画像データに対応する撮像位置情報とに基づいて、当該カメラの現在地点から上記検索された画像データの撮影地点までの距離を算出し、該算出された撮影地点までの距離を上記画像データとともに上記表示手段に表示させる制御手段と、
を具備することを特徴とするカメラ。
【請求項１１】
当該カメラの現在地の位置情報を検出する位置検出手段と、
当該カメラで撮像され取得された画像データと、該画像データの撮像位置情報と、が対応付けられて記録されたメモリと、
上記画像データを表示する表示手段と、
上記位置検出手段により検出された現在地の位置情報と所定の条件関係にある撮像位置情報に対応する画像データを上記メモリから検索して、上記表示手段に表示させる制御手段と、
を具備することを特徴とするカメラ。
【請求項１２】
当該カメラの現在地の位置情報を検出する位置検出手段と、
取得した画像データと、該画像データの撮像位置情報と、が対応付けられて記録されたメモリと、
上記画像データを表示する表示手段と、
上記位置検出手段により検出された現在地の位置情報と所定の条件関係にある撮像位置情報に対応する画像データを上記メモリから検索し、前記現在地から前記検索した画像データの撮像位置までの距離を算出して上記表示手段に表示させる制御手段と、
を具備することを特徴とするカメラ。
【手続補正２】
【補正対象書類名】明細書
【補正対象項目名】００１４
【補正方法】変更
【補正の内容】
【００１４】
上記の目的を達成するために、本発明の第６の態様によるカメラは、当該カメラの現在地の位置情報を検出する位置検出手段と、当該カメラで撮像され取得した画像データと該画像データ取得時に上記位置検出手段が検出した撮像位置情報とが対応付けられて記録されたメモリと、上記画像データを表示する表示手段と、上記位置検出手段の取得した現在地の位置情報と所定の条件にある撮像位置情報に対応する画像データを上記メモリから検索し、上記現在地の位置情報と上記検索された画像データに対応する撮像位置情報とに基づいて、当該カメラの現在地点から上記検索された画像データの撮影地点までの距離を算出し、該算出された撮影地点までの距離を上記画像データとともに上記表示手段に表示させる制御手段と、を具備することを特徴とする。
上記の目的を達成するために、本発明の第７の態様によるカメラは、当該カメラの現在地の位置情報を検出する位置検出手段と、当該カメラで撮像され取得された画像データと、該画像データの撮像位置情報と、が対応付けられて記録されたメモリと、上記画像データを表示する表示手段と、上記位置検出手段により検出された現在地の位置情報と所定の条件関係にある撮像位置情報に対応する画像データを上記メモリから検索して、上記表示手段に表示させる制御手段と、を具備することを特徴とする。
上記の目的を達成するために、本発明の第８の態様によるカメラは、当該カメラの現在地の位置情報を検出する位置検出手段と、取得した画像データと、該画像データの撮像位置情報と、が対応付けられて記録されたメモリと、上記画像データを表示する表示手段と、上記位置検出手段により検出された現在地の位置情報と所定の条件関係にある撮像位置情報に対応する画像データを上記メモリから検索し、前記現在地から前記検索した画像データの撮像位置までの距離を算出して上記表示手段に表示させる制御手段と、を具備することを特徴とする。